(57)【特許請求の範囲】
【請求項１】
光学的な素子であって、
少なくとも二つのライトガイド、前記少なくとも二つのライトガイドの各々は重なり合いの表面部分で他のものの少なくとも一つのものに光学的に結合させられたものであること、前記重なり合いの表面部分が積み重ねられた構成に配置されたものであること、前記少なくとも二つのライトガイドが一致するものではない方向において縦に延びるものであること；
少なくとも一つの光を放出するダイオード、ＬＥＤ；及び
光学的なカプラー
：を具備する、光学的な素子において：
前記光学的なカプラーは、前記少なくとも一つのライトガイドの少なくとも一つの入力表面部分に上記の少なくとも一つのＬＥＤを光学的に結合させることに適合させられたものであると共に；
前記光学的なカプラーは、前記少なくとも一つのＬＥＤの法線方向の表面に対する予め決められた角度の区間内で前記少なくとも一つの光の角度を選択するトランスフレクターに入射する光を少なくとも部分的に反射させると共に上記の予め決められた角度の区間の外側で前記少なくとも一つの光の角度を選択するトランスフレクターに入射する光を少なくとも部分的に透過させることに適合させられた少なくとも一つの光の角度を選択するトランスフレクターを具備する、
光学的な素子。
【請求項２】
請求項１に従った光学的な素子において、
前記少なくとも二つのライトガイドの一つは、
リボンに整形された光を案内する構造；
上記の少なくとも一つのライトガイドの縦の方向に対して実質的に平行に配置された複数の光を案内するファイバー；及び、
上記の少なくとも一つのライトガイドの縦の方向に対して実質的に平行に配置された少なくとも一つの光を案内するファイバー
：の一つのもの又はより多いものを具備すると共に、
前記少なくとも一つの光を案内するファイバーの少なくとも一部分は、縦の方向における実質的に矩形の断面を具備する、
光学的な素子。
【請求項３】
請求項１に従った光学的な素子において、
前記少なくとも二つのライトガイドの一つは、上記の少なくとも二つのライトガイドの一つの縦の方向に対して実質的に平行に配置された複数の光を案内するファイバーを具備すると共に、
前記光を案内するファイバーの少なくとも一つのものの縦の方向における断面は、他の光を案内するファイバーの縦の方向における断面に比較された異なるサイズ及び／又は形状を有する、
光学的な素子。
【請求項４】
請求項１に従った光学的な素子において、
上記の少なくとも二つのライトガイドは、相互のものに対して直交するものである方向に縦に延びるものである、光学的な素子。
【請求項５】
請求項１に従った光学的な素子であって、
前記重なり合いの表面部分の積み重なる方向に対して前記少なくとも一つの入力表面部分を具備するライトガイドの重なり合いの表面部分から最も遠く離れて位置させられたものである重なり合いの表面部分を具備するライトガイドに結合させられた第一の鏡面の反射体をさらに具備する、光学的な素子。
【請求項６】
請求項５に従った光学的な素子において、
前記第一の鏡面の反射体は、前記第一の鏡面の反射体が結合させられたものであるライトガイドの重なり合いの表面部分に面する表面部分に結合させられたものである、光学的な素子。
【請求項７】
請求項１に従った光学的な素子において、
前記予め決められた角度の区間は、前記少なくとも二つのライトガイドの一つへと結合させられた光が、上記の入力表面部分を具備するライトガイドの出力表面部分における内部全反射の条件を満足するようなものである、光学的な素子。
【請求項８】
請求項１から７までのいずれか一つに従った光学的な素子を具備する光を放出するデバイス。
【請求項９】
アレイへと組み込まれた請求項１から７までのいずれか一つのものに従った少なくとも一つの光学的な素子を具備するファイバーのアレイ。
【発明の詳細な説明】
【技術分野】
【０００１】
発明の分野
本発明は、一般に、照明をすることの分野に関係する。特定のものにおいて、本発明は、例えば、テキスタイル等に組み込まれた、照明器具において又はそれ自体において光を放出するデバイスとして利用されることがある、光を放出するダイオード（ＬＥＤ）に基づいた光学的な素子に関係する。
【背景技術】
【０００２】
発明の背景
指示の目的が意図された光を放出するダイオード又は発光ダイオードは、長い時間の間使用されてきたものであるが、しかし高い輝度のＬＥＤ、例．部屋のような様々な場所の一般的な照明を可能とするために十分に高いものである輝度を有するＬＥＤは、短い時間の間隔で、ＬＥＤ及び照明をするアプリケーションの市場において顕著な成長を引き起こしてきたものである。高い輝度のＬＥＤは、一般に、小さいサイズ、相対的に高い効力（及び関連させられた低い温度）、相対的に長い寿命、幅広い色域、及び制御の簡単さと関連させられたものである。自然に、そのようなＬＥＤは、新しい照明をするアプリケーションを開発することにおける照明するものの設計者に重要性のあるものである。そのようなＬＥＤは、また、フィラメントが提供された光バルブ又はハロゲンランプのような、従来の光発生デバイスに取って代わることに利用されることがある。そのようなＬＥＤは、また、一般には、様々な色の光を放出することが可能なものである。このように、ＬＥＤの性能が改善すると共にＬＥＤのコストが減少すると、ＬＥＤは、顕著な程度まで、白熱のランプ及び蛍光管のような従来の光源に取って代わることが期待されたものである。さらには、ＬＥＤは、一般的なものでは、そのような従来の光源と比較されたとき、小型のものである。
【０００３】
例えば、ＬＥＤは、ＬＥＤのアレイが布地、ハンドバッグ、バックパック、家具を覆うもの、カーペット、窓の日よけ、カーテン等の表面に配置されることを可能とするように、そのような小さいサイズのものであることがある。
【０００４】
そのようなＬＥＤを使用することで控えめな照明をする解決手段を効率的に実現するために、相対的に小さいサイズを有する光源が必要とされたものであるだけではなく、また光源からの光を輸送するための手段も必要とされると共に、表面にわたって又は体積のいたるところで光を分配する。光を広げると共に輸送するためのライトガイドは、知られたものである。一般的なものにおいては、ＬＥＤからの光は、ライトガイドの一方の側に注入されると共に光の抽出手段の手段によってライトガイドの別の側から現れる。細い光学的なファイバー又は薄いプラスチックのシートのような細いライトガイドへとＬＥＤからの光を注入するためには、光学的なファイバーの典型的な直径が約１００μｍであると共にライトガイドとして使用された薄いプラスチックのシートの典型的な厚さが約２００μｍであることがある一方でＬＥＤの典型的な光を放出するエリアが約１×１ｍｍ２であると、ＬＥＤからの光のビームは、一般には適当に整形されたものである必要がある。
【０００５】
ビームを整形することの分野における特定のものにおいて、レンズ及び／又はミラーのようないわゆる二次的な光学部品の新しい選択肢は、利用可能なものになってきたものであるが、そこでは光学的な素子は、狭い錐体の形状のパターンのような、別の望まれたパターンへとＬＥＤの放出パターンを転換するためのＬＥＤの付近に位置決めされたものであるが、それは、しばしばランバート関数（Lambertian）である。一般的なものにおいて、そのような二次的な光学部品は、一つの又はより多いＬＥＤ及び別個の光学的なビームを整形する素子の組み合わせによって構成されたものである。このように、一般的なものにおいて二つの又はより多い構成部品は、正確に及びしっかりと、望まれたビームを整形することを達成すると共に望まれた位置に維持されるためには、相互に相対的に望まれた位置に位置決めされる必要がある。よって、そのような解決手段は、組み立て及び／又は使用に対する機械的な差異を提起することがある。
【０００６】
一般的なものにおいて、利用可能な二次的な光学部品は、特にＬＥＤの光を放出するエリアとの比較において、相対的に大きいものである。二次的な光学部品の典型的な直径は、約２０ｍｍから約５０ｍｍまでの範囲にわたることがあると共に、二次的な光学部品の厚さは、典型的には約１×１ｍｍ２であるＬＥＤの光を放出するエリアと比較されるために、典型的には約１０ｍｍから約２０ｍｍまでの範囲にわたることがある。このように、そのような二次的な光学部品は、一般的なものにおいて、相対的に嵩のある及び／又は突出したものである。
【発明の概要】
【０００７】
発明の概要
【課題を解決するための手段】
【０００８】
より上の考慮及び他のものに対して、本発明は、なされてきたものである。特定のものにおいて、発明は、発明者は、光学的な素子を達成することが望ましいものであると思われることを実現してきたものであるが、そこでは、一つの又はより多いＬＥＤ並びに追加的な光学部品は、相互に相対的に望まれた位置において相対的に簡単に組み立てられた及び維持されたものであることがある統合された解決手段において提供されたものであることがある。さらには、発明者は、光学的な素子を達成することが望ましいものであると思われることを実現してきたものであるが、そこでは一つの又はより多いＬＥＤ及び追加的な光学部品は、一つの又はより多いＬＥＤからの光が、光学的なファイバー、光学的なファイバーのアレイ、リボンに整形された光を案内する構造等のような薄い又は細いライトガイドへと注入されることがあるように、知られたデバイスとの比較において相対的に薄い及び小型のものである統合された解決手段に提供されたものであることがある。
【０００９】
これらの関心事の一つのもの又はより多いものを良好に扱うために、独立なクレームに定義された特徴を有する光学的な素子は、提供されたものである。本発明のさらに好都合な実施形態は、従属のクレームに定義されたものである。
【００１０】
本発明の第一の態様に従って、提供されたものは、少なくとも一つのライトガイドを具備する光学的な素子である。光学的な素子は、少なくとも一つのＬＥＤ及び少なくとも一つのライトガイドの少なくとも一つの入力表面部分へ少なくとも一つのＬＥＤを光学的に結合させることに適合させられた光学的なカプラーを具備する。光学的なカプラーは、少なくとも一つのＬＥＤの法線方向の表面に対する予め決められた角度の区間内で少なくとも一つの光の角度を選択するトランスフレクターに入射する光を少なくとも部分的に反射させると共に予め決められた角度の区間の外側で少なくとも一つの光の角度を選択するトランスフレクターに入射する光を少なくとも部分的に透過させることに適合させられた、少なくとも一つの光の角度を選択するトランスフレクター（transflector）を具備する。
【００１１】
言い換えれば、本発明は、少なくとも一つのＬＥＤから放出された及び光学的なカプラーに入射するものである光のための角度的なフィルターとして作用する光学的なカプラーの手段によって少なくとも一つのライトガイドへ光学的に結合させられた少なくとも一つのＬＥＤに基づいたものである。発明者は、そのような構成によって、少なくとも一つのライトガイドが、後に続くものにおいてさらに記載されたように、実質的な光の損失無しに、相対的に薄い又細いものである、典型的にはＬＥＤの光を放出する表面の側の約３０％まで下にある（例．約１×１ｍｍ２の光を放出するエリアを有するＬＥＤについて約０．３ｍｍ）、ことがあることを実現してきたものである。これは、従来の二次的な光学部品と対照的なものであるが、それは、典型的には、約１０ｍｍから約２０ｍｍまでの範囲にわたる厚さを有する。
【００１２】
少なくとも一つのライトガイドは、例えば、光を案内することに適合させられた細長い素子を具備することがある。
【００１３】
予め決められた角度の区間は、少なくとも一つのライトガイドへと結合させられた光が、少なくとも一つのライトガイドの表面の部分で内部全反射（total  internal  reflection：ＴＩＲ）の条件を満たすようなものであることがある。言い換えれば、光の角度を選択するトランスフレクターは、ライトガイドにおいてＴＩＲの条件を満足することになるものではない光を反射させると共にライトガイドにおいてＴＩＲの条件を満足する光を透過させるような角度的なフィルターとして作用することがあるが、それによって光学的な素子についての相対的に高い光学的な効率を達成することを可能とする。より後者の光は、その次に、ＴＩＲを介してライトガイドを通じて伝播することがある。
【００１４】
光を案内することに適合させられた細長い素子は、例えば、ワイヤー、管、一つの又はより多い個々のファイバー、リボン、ケーブル等のような素子の一つのもの又はより多いものを具備することがある。素子の特定の選抜は、ユーザー、容量、用途、及び／又は設計の要件に基づいたものであることがある。
【００１５】
そのような光学的なカプラーの手段によって、一つの又はより多いＬＥＤと組み合わせられたＬＥＤの光の向け直しの構造の相対的に薄い又は細い及び小型の組み立て品は、作られたものであることができるが、その組み立て品は、控えめな及び／又は遍在性の照明を提供するために利用されることがある。そのような組み立て品、又はそのような組み立て品のアレイ、は、衣類、カーペット、カーテン、日よけ、家具を覆うもの、等における控えめな及び／又は遍在性の照明の源を提供するための、例えば、ファイバーのアレイ（例．そのようなファイバーのアレイへと織られたもの）、例えばテキスタイル、において利用されることがある。
【００１６】
光学的な素子の構成部品のいくつか又は全ては、屈折率を調和させるシリコーンの接着剤のような、屈折率を調和させる接着剤の手段によって一緒に結合させられたものであることがあるが、それは、光学的な接触、例．少なくとも一つのＬＥＤからの光の抽出を促進させるもの、光学的なフレネル（Fresnel）の損失、等、を除去するもの、及び、同時に、光学的な素子の構成部品の組み立て品の機械的な安定性を提供するもの、を提供することがある。
【００１７】
少なくとも一つのＬＥＤは、赤色の、緑色の、及び青色の光のいずれかを放出するために構成されたものであることがある。
【００１８】
本発明のいくつかの実施形態を参照して前述するもの及び後に続くものにおいて参照された光学的な結合をさせることは、接着された及び接着されたものではない構成を含む、多数の方式で実現されることがある。素子又は構成部品の間における光学的な結合をさせることは、例えば、適切な接着剤、相互に対して光学的に結合させられるものである素子又は構成部品の間に配置された（薄い又は細い）光学的に伝導する層の手段、等によって達成されることがある。各々のそのような配置は、一緒に光学的に結合させられるものである素子又は構成部品を調和させる屈折率のために適当な屈折率を有することがある。
【００１９】
本発明の第二の態様に従って、提供されたものは、少なくとも二つのライトガイドを具備する光学的な素子である。光学的な素子は、白色の光を放出するために構成された少なくとも一つのＬＥＤを具備する。少なくとも一つのＬＥＤは、少なくとも一つのライトガイドの一つのものの少なくとも一つの入力表面部分に光学的に結合させられたものである。光学的な素子は、少なくとも一つの反射体を具備する。少なくとも二つのライトガイドの各々は、別のライトガイドにそれぞれのライトガイドを光学的に結合させることに適合させられた重なり合いの表面部分を具備する。このように、光学的な素子は、少なくとも二つの重なり合いの票目部分を具備するが、少なくとも二つの重なり合いの表面部分が積み重ねられた構成に配置されたものである。少なくとも一つの反射体は、少なくとも一つの重なり合いの表面部分の積み重なる方向に対して少なくとも一つの入力表面部分を具備するライトガイドの重なり合いの表面部分から最も遠くに離れて位置させられたものである重なり合い表面部分を具備するライトガイドに結合させられたものである。
【００２０】
少なくとも二つのライトガイドの各々は、例えば、光を案内することに適合させられた細長い素子を具備することがある。
【００２１】
少なくとも一つの反射体は、鏡面のものであることがある。
【００２２】
本発明の第一の態様を参照して記載されたもののような角度的なフィルターを具備する光学的なカプラーは、白色の光の最大限のスペクトルの範囲について実現することが困難なものであることがある。本発明の第二の態様に従った光学的な素子において、ライトガイドにおいてＴＩＲの条件を満足するものではない光を抑制するために設計された、そのような角度的なフィルターは、欠如したものである。しかしながら、反射体及び少なくとも一つのライトガイド及び少なくとも一つのＬＥＤとの関係におけるそれの配置によって、ライトガイドにおけるＴＩＲの条件を満足するものではない光は、ＴＩＲを介してライトガイドを通じて伝播することなく直接的にライトガイドを去ることが予防される。この様式において、本発明の第二の態様に従った光学的な素子についての光学的な効率は、本発明の第一の態様に従った光学的な素子についての光学的な効率に匹敵するレベルにあるものであることがある。
【００２３】
言い換えれば、反射体の特徴は、ライトガイドにおけるＴＩＲの条件を満たすものではない光の光線を抑制することの問題に対する解決手段を提供する。この特徴は、本発明の第一の態様に従った光学的な素子における少なくとも一つの光の角度を選択するトランスフレクターを具備する光学的なカプラーの特徴に実質的に対応する。このように、反射体の特徴及び少なくとも一つの光の角度を選択するトランスフレクターを具備する光学的なカプラーの特徴の両方は、ライトガイドにおけるＴＩＲの条件を満たすものではない光の光線を抑制するための手段を提供する。これらの二つの特徴の手段によって、本発明の第一の及び第二の態様に従った光学的な素子は、それぞれ、代替の様式における、相対的に薄い又は細い統合された光学的な素子を提供することがある。
【００２４】
このように、本発明の第二の態様に従った光学的な素子は、本発明の第一の態様に従った光学的な素子が扱う問題に対する、すなわち、光学的な素子についての相対的に高い光学的な効率を達成するための、代替の好都合な解決手段を提供する。
【００２５】
本発明の第二の態様に従った光学的な素子の手段によって、本発明の第一の態様に従った光学的な素子の利点と同じ又は類似の利点は、達成されることがある。
【００２６】
本発明の第二の態様に従った光学的な素子の構成部品のいくつか又は全ては、屈折率を調和させるシリコーンの接着剤のような、（光学的な）屈折率を調和させる接着剤の手段によって一緒に結合させられたものであることがあるが、それは、光学的な接触、例．少なくとも一つのＬＥＤからの光の抽出を促進するもの、光学的なフレネルの損失等を除去するもの、及び、同時に光学的な素子の構成部品の組み立て品の機械的な安定性を提供するもの、を提供することがある。
【００２７】
本発明のいくつかの実施形態の文脈において、白色の光を放出するために構成されたＬＥＤによって、それは、蛍燐光体で転換された青色のＬＥＤのような、実質的に白色の光の最大限のスペクトルの範囲にわたって白色の光を放出することが可能なＬＥＤと参照される。
【００２８】
本発明のいくつかの実施形態の文脈において、及び、相互に結合させられた構成部品との関係において、用語“結合させられた（る）”は、直接的に結合させられた（る）ものとして解されることに限定されるものではないが、しかし、また、中間の構成部品を有する機能的な結合をさせることを包含する。例えば、一方において、第一の構成部品の光学的な出力が、第二の構成部品の入力に結合させられたものであるとすれば、これは、直接的な結合をさせることを具備する。他方においては、構成部品が、第一の構成部品からの光学的な出力を第二の構成部品の入力へ、直接的に又は代わりに一つの若しくはより多い追加的な構成部品を介して、供給するとすれば、第一の及び第二の構成部品は、また結合させられたものである。
【００２９】
本発明の第三の態様に従って、提供されたものは、本発明の第一の若しくは第二の態様に又はそれらのいずれの実施形態にも、従った光学的な素子を具備する光を放出するデバイスである。
【００３０】
本発明の第四の態様に従って、提供されたものは、アレイに組み込まれた、本発明の第一の若しくは第二の態様に又はそれらのいずれの実施形態にも、従った少なくとも一つの光学的な素子を具備するファイバーのアレイである。
【００３１】
そのようなファイバーは、例えば、光学的なファイバーを具備する又はそれであることがある。
【００３２】
そのようなファイバーのアレイは、例えば、布地、カーテン、家具を覆うもの、窓の日よけ、等において光を輸送する及び分配するためのいわゆる“フォトニックテキスタイル”において、布地、ファブリック、又は同様のものへと組み込まれた（例．それへと織られた）ものであることがある。
【００３３】
本発明の例示する実施形態に従って、光学的な素子は、少なくとも二つのライトガイドを具備する。二つのライトガイドの各々は、重なり合いの表面部分における他のものの少なくとも一つのものへ光学的に結合させられたものであることがあるが、重なり合いの表面部分は積み重ねられた構成に配置されたものであると共に少なくとも二つのライトガイドは一致するものではない方向において縦に延びるものである。
【００３４】
そのような構成によって、一つの又はより多いＬＥＤ及び追加的な光学部品は、相対的に薄い又は細い及び小型のものである統合された解決手段において提供されたものであることがあると共に、従って布地、ハンドバッグ、バックパック、窓の日よけ、カーテン等の表面におけるもののような様々な環境において埋め込まれた一方で控えめな及び／又は遍在性の照明を提供するために単独で又は組み合わせで用いられることがある。
【００３５】
前述するものを考慮に入れて、及び、ユーザーが必要とする特定のもの及び／又はアプリケーションの用途に依存することで、少なくとも一つのライトガイドは、例えば、リボンに整形された光を案内する構造を具備することがある。代わりに又は自由選択で、少なくとも一つのライトガイドは、少なくとも一つのライトガイドの縦の方向に対して実質的に平行に配位された複数の光を案内するファイバーを具備することがある。代わりに又は自由選択で、少なくとも一つのライトガイドは、少なくとも一つのライトガイドの縦の方向に対して実質的に平行に配置された少なくとも一つの光を案内するファイバーを具備することがある。少なくとも一つの光を案内するファイバーの少なくとも一部分は、縦の方向における実質的に矩形の断面を具備することがある。
【００３６】
少なくとも一つのライトガイドは、前述するものに直ちに記載された構成のいずれの組み合わせをも具備するライトガイドを具備することがある。
【００３７】
前述するものに指し示されたように、一般に円形の断面を有する一つの又はより多い相対的に厚い又は太い光を案内するファイバーは、それにおいて光を案内するファイバーの少なくとも一部分が実質的に矩形の断面へと局所的に滑らかに変形させられてきたものであるが、用いられることがある。幅Ｗ及び高さＨを有する矩形は、半径Ｒ＝［ＨＷ／π］０．５を有する円形へと変形させられることができると共に、逆もまた同じである。発明者は、そのような構成が、その後にライトガイドから外に結合させられる光のビームの形状について有益なコリメートする効果を有することがあることを実現してきたものである。
【００３８】
少なくとも一つの入力表面部分は、それぞれのライトガイドの重なり合いの表面部分と整列させられたものであることがある。
【００３９】
少なくとも一つのライトガイドは、少なくとも一つのライトガイドの縦の方向に対して実質的に平行に配置された複数の光を案内するファイバーを具備することがあるが、それにおいて光を案内するファイバーの少なくとも一つのものの縦の方向における断面は、他の光を案内するファイバーの縦の方向における断面に対して比較された異なるサイズ及び／又は形状を有する。
【００４０】
そのような構成は、幾何学的な光学的な損失を低減することを可能とすることがある。例えば、複数の光を案内するファイバーの各々が縦の方向において実質的に円形の断面を有する事例を考慮する。これらの光を案内するファイバーが、アレイにおいて並んで配置されたものであるとき、隣接の光を案内するファイバーの間にいくらかの空白の又は空のスペースが不可避的にあることになるが、そのスペースは、一般に、光を案内することに使用されることができないものである。アレイにおける縦の方向に異なる断面を有する光を案内するファイバーを提供することによって、隣接の光を案内するファイバーの間における空白のスペースの量は、低減されたものであることがあると共に、このように幾何学的な光学的な損失は、低減されたものであることがある。
【００４１】
本発明の例示する実施形態に従って、光学的な素子に具備された少なくとも二つのライトガイドは、相互のものに対して直交するものである方向において縦に延びるものであることがある。この様式で、一つの若しくはより多いＬＥＤ及び追加的な光学部品を具備する統合された解決手段は、例えば相互接続された光学的な素子のネットワークを作り出すために、他の光学的な素子と相対的に簡単に組み合わせられたものであることがある。このように、そのような構成によって、相互接続された光学的な素子のそのようなネットワークの築き上げをすること又は構築は、容易にされることがある。
【００４２】
光学的な素子は、重なり合いの表面部分の積み重ねる方向に対して少なくとも一つの入力表面部分を具備するライトガイドの重なり合いの表面部分から最も遠く離れて位置させられたものである重なり合いの表面部分を具備するライトガイドに結合させられた第一の鏡面の反射体を具備することがある。
【００４３】
そのような構成は、第一の鏡面の反射体が結合させられたものであるライトガイドにおけるＴＩＲの条件を満たすものではない光の光線の増加させられた抑制を可能とすることがある。前述するものにおいて記載されてきたものであるもののような角度的なフィルターが光学的な素子に有るものである事例において、一般的なものにおいて角度的なフィルターが、ライトガイドにおけるＴＩＲの条件を満足する光を透過させるだけであると、第一の鏡面の反射体は、第一の鏡面の反射体が結合させられたものであるライトガイドにおけるＴＩＲの条件を満たすものではない光の光線の抑制のために要求されるものではないことがある。しかしながら、そのような第一の鏡面の反射体は、追加的に光学的な素子のロバスト性及び／又は機械的な安定性を改善することがある。
【００４４】
第一の鏡面の反射体は、第一の反射体が結合させられたものであるライトガイドの重なり合いの表面部分に面する表面部分に結合させられたものであることがある。この様式では、第一の鏡面の反射体は、少なくとも一つの入力表面部分と整列させられたものであることがあるが、それは、順番に、第一の鏡面の反射体が結合させられたものであるライトガイドにおけるＴＩＲの条件を満たすものではない光の交線の抑制における効率を増加させることがある。
【００４５】
光学的な素子は、少なくとも一つのライトガイドの少なくとも一つの横の側の表面に結合させられた少なくとも一つの横の鏡面の反射体を具備することがある。この様式では、少なくとも一つのライトガイドの横の側の表面を通じた光の漏れ出ることによる光の横の光学的な損失は、低減されることがある。順番に、これは、光学的な素子の光学的な効率が改善されることを可能とすることがある。
【００４６】
本発明の例示する実施形態に従って、少なくとも二つのライトガイドは、一致するものではない方向において縦に延びるものである。
【００４７】
少なくとも一つの反射体は、少なくとも一つの反射体が結合させられたものであるライトガイドの重なり合いの表面部分に面する表面部分に結合させられたものであることがある。この様式では、少なくとも一つの反射体は、少なくとも一つのライトガイドの一つのものの少なくとも一つの入力表面部分と整列させられたものであることがあるが、それは、順番に、少なくとも一つの反射体が結合させられたものであるライトガイドにおけるＴＩＲの条件を満たすものではない光の光線の抑制における効率を増加させることがある。
【００４８】
光学的な素子は、少なくとも一つの再帰反射体（時々、レトロリフレクターと称されたもの）を具備することがある。本発明のいくつかの実施形態の文脈において、再帰反射体によって、それは、光の最小の散乱をすることを備えた光の入射の方向へと逆戻りに光を反射させるデバイスを意味する。
【００４９】
そのような再帰反射体は、ライトガイドにおけるＴＩＲの条件を満たすものではない光の光線の抑制を容易にするために用いられることがある。ライトガイドに面する再帰反射体の表面に入射する光の光線は、ライトガイドへと逆戻りに送られることがあると共に、その後に光は、ＬＥＤの微視的に粗い表面で再度散乱させられることがある。
【００５０】
そのような再帰反射体は、例えば、一つの若しくはより多い微小な錐体のアレイ又は相対的に高い屈折率を有する微小な半球体の一つの若しくはより多いアレイを具備することがある。
【００５１】
光学的な素子における少なくとも一つのライトガイドは、少なくとも一つの光の抽出器に光学的に結合させられた又はそれに隣接して配置された出力表面部分を具備することがある。
【００５２】
本発明のいくつかの実施形態を参照して前述するものにおいて及び後に続くものにおいて参照された第二の構成部品又は素子に隣接の第一の構成部品又は素子の配置は、第一の構成部品及び第二の構成部品又は第一の及び第二の構成部品の表面部分が、それぞれ、相互のものとの直接的な接触にはないものであるが、しかし、適切な材料又は媒体によって、例．空気のスリットによって、相互のものから分離されたものであることを意味する。そのような分離は、第一の及び／又は第二の構成部品の寸法との比較において小さいものであることがある。
【００５３】
本発明のさらなる目的及び利点は、例示する実施形態の手段によって後に続くものにおいて記載されたものである。
【００５４】
発明が、クレームに記載された特徴の全ての可能性のある組み合わせに関係することは、留意されることである。
【図面の簡単な説明】
【００５５】
【図１Ａ】図１Ａは、本発明の例示する実施形態に従った光学的な素子の一部分の概略的な図である。
【図１Ｂ】図１Ｂは、光の角度の選択的なトランスフレクターに入射する光の入射の角度の関数としての、本発明の例示する実施形態と一致した光の角度の選択的なトランスフレクターの透過率のグラフである。
【図１Ｃ】図１Ｃは、本発明の例示する実施形態と一致した作動する原理を図解するグラフである。
【図２Ａ】図２Ａは、本発明の例示する実施形態と一致した光学的な素子の構成部品の概略的な透視図である。
【図２Ｂ】図２Ｂは、本発明の例示する実施形態と一致した光学的な素子の構成部品の概略的な分解透視図である。
【図２Ｃ】図２Ｃは、本発明の例示する実施形態に従った光学的な素子の概略的な分解透視図である。
【図２Ｄ】図２Ｄは、本発明の例示する実施形態に従った光学的な素子の概略的な分解透視図である。
【図２Ｅ】図２Ｅは、二つのライトガイドの一つのものの縦の方向に沿った図２Ｃに示された光学的な素子の概略的な断面の図である。
【図２Ｆ】図２Ｆは、他のライトガイドの縦の方向に沿った図２Ｃに示された光学的な素子の概略的な断面の図である。
【図３Ａ】図３Ａは、本発明の例示する実施形態に従った光学的な素子の概略的な断面の図である。
【図３Ｂ】図３Ｂは、ライトガイドの縦の方向に沿った本発明の例示する実施形態と一致したライトガイドの概略的な断面の図である。
【図３Ｃ】図３Ｃは、ライトガイドの縦の方向に沿った本発明の例示する実施形態と一致したライトガイドの概略的な断面の図である。
【図４Ａ】図４Ａは、本発明の例示する実施形態に従った光学的な素子の概略的な断面の図である。
【図４Ｂ】図４Ｂは、本発明の例示する実施形態に従った光学的な素子の概略的な断面の図である。
【図５Ａ】図５Ａは、本発明の例示する実施形態に従った光を放出するデバイスの概略的なブロック線図である。
【図５Ｂ】図５Ｂは、本発明の例示する実施形態に従った光を放出するデバイスの概略的な図である。
【図６Ａ】図６Ａは、本発明の例示する実施形態に従ったファイバーのアレイの概略的な図である。
【図６Ｂ】図６Ｂは、本発明の例示する実施形態に従ったファイバーのアレイの概略的な図である。
【発明を実施するための形態】
【００５６】
図面の手短な記載
発明の例示する実施形態は、付随する図面を参照して以下に記載されることになるが、それらにおいて：
図１Ａは、本発明の例示する実施形態に従った光学的な素子の一部分の概略的な図である；
図１Ｂは、光の角度の選択的なトランスフレクターに入射する光の入射の角度の関数としての、本発明の例示する実施形態と一致した光の角度の選択的なトランスフレクターの透過率のグラフである；
図１Ｃは、本発明の例示する実施形態と一致した作動する原理を図解するグラフである；
図２Ａは、本発明の例示する実施形態と一致した光学的な素子の構成部品の概略的な透視図である；
図２Ｂは、本発明の例示する実施形態と一致した光学的な素子の構成部品の概略的な分解透視図である；
図２Ｃは、本発明の例示する実施形態に従った光学的な素子の概略的な分解透視図である；
図２Ｄは、本発明の例示する実施形態に従った光学的な素子の概略的な分解透視図である；
図２Ｅは、二つのライトガイドの一つのものの縦の方向に沿った図２Ｃに示された光学的な素子の概略的な断面の図である；
図２Ｆは、他のライトガイドの縦の方向に沿った図２Ｃに示された光学的な素子の概略的な断面の図である；
図３Ａは、本発明の例示する実施形態に従った光学的な素子の概略的な断面の図である；
図３Ｂは、ライトガイドの縦の方向に沿った本発明の例示する実施形態と一致したライトガイドの概略的な断面の図である；
図３Ｃは、ライトガイドの縦の方向に沿った本発明の例示する実施形態と一致したライトガイドの概略的な断面の図である；並びに、
図４Ａ及び４Ｂは、本発明の例示する実施形態に従った光学的な素子の概略的な断面の図である；
図５Ａは、本発明の例示する実施形態に従った光を放出するデバイスの概略的なブロック線図である；
図５Ｂは、本発明の例示する実施形態に従った光を放出するデバイスの概略的な図である；並びに、
図６Ａ及び６Ｂは、本発明の例示する実施形態に従ったファイバーのアレイの概略的な図である。
【００５７】
付随する図面において、同じ参照数字は、図のいたるところで同じ又は類似の要素を表記する。
【００５８】
詳述された記載
本発明は、今、付随する図面を参照してここより後により十分に記載されることになるが、それらにおいて発明の例示する実施形態は示されたものである。しかしながら、この発明は、多数の異なる形態で具体化されたものであることがあると共に、ここに述べられた実施形態に限定されたものとして解されるべきものではないものである；むしろ、これらの実施形態は、この開示が徹底的なものであると共に当業者へ発明の範囲を十分に伝達することになるように、例の方式で提供されたものである。さらには、同様の数は、いたるところで同様の又は類似の要素又は構成部品を参照する。
【００５９】
今図１Ａを参照することで、示されたものは、光学的な素子１００の一部分の概略的な図である。光学的な素子１００は、概ね参照数字１０３によって指し示された破線の矩形によって参照された、光学的なカプラーの手段によってライトガイド１０２の入力表面部分１０２ａに結合させられたＬＥＤ１０１を具備するが、その光学的なカプラー１０３は、例えば図１Ａに指し示されたもののような複数の誘電体の層によって構成された、少なくとも一つの光の角度を選択するトランスフレクター１０４を具備する。図１Ａにさらに指し示されたように、図１Ａは、ライトガイド１０２の一部分及び光の角度を選択するトランスフレクター１０４の一部分を示す。
【００６０】
光の角度の選択的なトランスフレクター１０４及びＬＥＤ１０１は、光学的なカプラー１０３において具備された、屈折率を調和させるシリコーンの接着剤のような、屈折率を調和させる接着剤の層１０５の手段によって一緒に結合させられたものであることがある。
【００６１】
光の角度を選択するトランスフレクター１０４は、ＬＥＤ１０１の表面の法線に対する予め決められた角度の区間内における（それの光のいくつかの光の光線の経路が図１Ａに示されたものである）光の角度を選択するトランスフレクター１０４に入射する光を少なくとも部分的に反射させると共に予め決められた角度の区間の外側で光の角度を選択するトランスフレクター１０４に入射する光を少なくとも部分的に透過させることに適合させられたものである。ＬＥＤ１０１の表面の法線で、それは、ここでは、ＬＥＤ１０１の光を放出する表面に対する法線を意味するが、そこでは光を放出する表面は、光学的なカプラー１０３に面する。言い換えれば、光学的なカプラー１０３の光の角度を選択するトランスフレクター１０４は、予め決められた入射の角度より上の、大きい入射の角度を有する光の光線が、ライトガイド１０２へと透過させられることがあるのに対して、ＬＥＤ１０１へと逆戻りに、いくらかの予め決められた入射の角度より下の、小さい入射の角度を有する光の光線を反射させる、角度的なフィルターとして作用することがある。
【００６２】
ＬＥＤ１０１は、例えば、プリント回路基板（printed  circuit  board；ＰＣＢ）又は同様のものを具備する、支持体１０６に取り付けられたものであることがある。
【００６３】
予め決められた角度の区間は、少なくとも一つのライトガイド１０２へと結合させられた光が、ライトガイドの出力表面部分１０２ｂにおける内部全反射（total  internal  reflection；ＴＩＲ）の条件を満足するようなものであることがある。言い換えれば、多層の角度的なフィルター１０４は、ライトガイド１０２におけるＴＩＲの条件を満足するものではないことになる光を反射させると共に、ライトガイド１０２におけるＴＩＲの条件を満足する光を透過させることがある。その次に、後者の光は、ＴＩＲを介してライトガイド１０２を通じて伝播すると共に例えば（図１Ａに示されたものはない）一つの又はより多い外に結合させる素子及び／又は光の抽出器の手段によって外に結合させられることがある。
【００６４】
今図１Ｂを参照することで、示されたものは、多層の角度のフィルター１０４に入射する光の入射の角度θの関数としての、本発明の例示する実施形態と一致した光の角度の選択的なトランスフレクター又は多層の角度的なフィルター１０４の透過率のグラフである。前述するものにおいて記載されたように、いくらかの予め決められた角度θｃより下の入射の角度θを有する光は、反射させられると共に、θｃより上の入射の角度θを有する光は、多層の角度的なフィルター１０４を通じて透過させられる。図１Ｂに示されたθｃの特定の値は、例のみの方式によるものである。
【００６５】
さらに図１Ａを参照して、一般的なものには、ライトガイド１０２が、ライトガイド１０２に入る光がＬＥＤ１０１へと逆戻りにライトガイド１０２の上部の表面（一般にライトガイド１０２の入力表面部分１０２ａに面する上部の表面）から反射することを予防するために満足することを必要とするという最小の厚さの要件がある。例えば、第一の幾何学的な見積もりに従って、約１×１ｍｍ２の光を放出するエリアを有するＬＥＤについての最小の厚さは、約０．７９ｍｍであると思われる。
【００６６】
今図１Ｃを参照することで、示されたものは、ライトガイドの厚さｄの関数としての（前述するものにおいて議論されたような誘電体の多層の角度的なフィルターのような）光の角度の選択的なトランスフレクターを介してライトガイドへのＬＥＤによって発生させられた光の中に結合することの効率を図解するためのグラフである。より精密には、図１Ｃにおけるグラフは、光学的な素子を去る相対的な光束Φ（すなわち、光学的な素子を去る光束及びＬＥＤの光を放出する面積からの合計の光束の比）対ライトガイドの厚さｄを示す。図１Ｃに示されたグラフは、ＬＥＤの光を放出する面積が１×１ｍｍ２であった及びＬＥＤの反射率が６５％であったという仮定を備えた、光学的なモデリングの手段によって得られたものであった。図１Ｃに見てとられることができるように、ライトガイドの厚さｄは、顕著な効率の低減無しに第一の見積もり０．７９ｍｍより下に実質的に低減されたものであることがある。
【００６７】
今図２Ａを参照することで、示されたものは、ＬＥＤ２０２（そのＬＥＤ２０２ではそれの光を放出する表面のみが図２Ａに示されたものである）へ光学的に結合させられた、光の角度を選択するトランスフレクター２０１、又は多層の角度的なフィルター、を具備する、本発明の例示する実施形態と一致した光学的な素子の構成部品の概略的な透視図である。
【００６８】
今図２Ｂを参照することで、示されたものは、本発明の例示する実施形態と一致した光学的な素子の構成部品の概略的な分解透視図である。図２Ａにまた描かれたように、光学的な素子は、（図２Ｂに示されたものではない、図２Ａをみること）ＬＥＤに光学的に結合させられた、光の角度を選択するトランスフレクター２０１、又は多層の角度的なフィルター、を具備することがある。光学的な素子は、下部の反射体２０３及び／又は上部の反射体２０４を具備することがある。図２Ｂに描かれたように、下部の反射体２０３及び上部の反射体２０４は、各々、光学的な素子の、（図２Ｂに示されたものではない、図２Ｃ及び／又は２Ｄをみること）光を案内することに適合させられた細長い素子によって構成された、ライトガイドの横の側の表面から漏れ出る光を反射させるための、それぞれ、横の表面の部分２０３ａ，２０３ｂ及び２０４ａ，２０４ｂを具備することがある、図２Ｃ及び／又は２Ｄ及び後に続く記載をみること。
【００６９】
今図２Ｃを参照することで、示されたものは、本発明の例示する実施形態に従った光学的な素子２００の概略的な分解透視図である。図２Ｃに示されたように、光学的な素子２００は、（図２Ｃに示されたものではない、図２Ａをみること）ＬＥＤに光学的に結合させられた、光の角度を選択するトランスフレクター又は多層の角度的なフィルター２０１を具備することがある。光学的な素子２００は、下部の反射体２０３及び／又は上部の反射体２０４を具備することがある。図２Ｂに描かれたように、下部の反射体２０３及び上部の反射体２０４は、各々、それぞれ、ライトガイド２０５，２０６の横の側の表面から漏れ出る光を反射させるための、それぞれ、横の表面部分２０３ａ，２０３ｂ及び２０４ａ，２０４ｂを具備することがある。
【００７０】
ライトガイド２０５，２０６の各々は、例えば、リボンに整形された光を案内する構造を具備することがある。
【００７１】
図２Ｃにおける例の方式によって示されたように、ライトガイド２０５，２０６は、一致するものではないものである、例えば、相互のものに対して直交するものである、方向において縦に延びることがある。
【００７２】
今図２Ｄを参照することで、示されたものは、本発明の例示する実施形態に従った光学的な素子２００の概略的な分解透視図である。図２Ｃに描かれたのと同じ参照数字によって指し示された図２Ｄを参照して記載された光学的な素子２００の構成部品は、図２Ｃにおけるそれぞれの参照数字によって指し示された構成部品に類似の又は同一のものである。図２Ｃを参照して記載された光学的な素子２００と対照的に、図２Ｄに描かれた光学的な素子２００は、ライトガイド２０７の縦の方向に対して実質的に平行に配置された複数の光を案内するファイバー２０７ａ（それらの少数のもののみが図２Ｄにおける参照数字によって指し示されたものである）を具備するライトガイド２０７を具備する。
【００７３】
図２Ｄにおける例の方式によって示されたように、ライトガイド２０５，２０７は、相互のものに対して直交するものである方向において縦に延びることがある。
【００７４】
ここに記載された本発明の例示する実施形態が、一つのライトガイド又は二つのライトガイドを具備するとはいえ、これは、本発明を限定することを意味するものではないし、それは、むしろ、ユーザーの要望及び／又は用途の要件に依存することでいずれの数のライトガイドをも、例えば、三つの、四つの、五つの、六つの、八つの、又は十個のライトガイド、を具備する実施形態を包含する。
【００７５】
今図２Ｆを参照することで、示されたものは、図２Ｃを参照して記載された光学的な素子２００の概略的な断面の図である。図は、ライトガイド２０５の縦の方向に沿ったものである。図２Ｃに描かれたと同じ参照数字によって指し示された図２Ｅを参照して記載された光学的な素子２００の構成部品は、図２Ｃにおけるそれぞれの参照数字によって指し示された構成部品に類似の又は同一のものである。図２Ｅにおける例の方式によって示されたように、ＬＥＤ２０２は、屈折率を調和させるシリコーンの接着剤のような、屈折率を調和させる接着剤の層２０８の手段によって光の角度の選択するトランスフレクター２０１に光学的に結合させられたものであることがある。光の角度の選択的なトランスフレクター２０１は、ライトガイド２０６の入力表面部分２０６ｂに光学的に結合させられたものである。
【００７６】
さらに図２Ｅを参照して、二つのライトガイド２０５，２０６の各々は、それぞれ、ライトガイド２０５，２０６における重なり合いの表面部分２０５ａ，２０６ａで他方のものに光学的に結合させられたものであることがある。図２Ｅに描かれたように、重なり合いの表面部分２０５ａ，２０６ａは、積み重ねられた構成に配置されたものであることがあるが、一方のものは他方のものの上部におけるもの及びそれぞれの重なり合いの表面部分２０５ａ，２０６ａでそれに結合させられたものである。
【００７７】
今図２Ｆを参照することで、示されたものは、図２Ｃを参照して記載された光学的な素子２００の概略的な断面の図である。図は、ライトガイド２０６の縦の方向に沿ったものである。図２Ｃに描かれたものと同じ参照数字によって指し示された図２Ｆを参照して記載された光学的な素子２００の構成部品は、図２Ｃにおけるそれぞれの参照数字によって指し示された構成部品に類似の又は同一のものである。
【００７８】
図３Ａを参照することで、示されたものは、本発明の例示する実施形態に従った光学的な素子３００の概略的な断面の図である。図は、光学的な素子３００に具備されたライトガイド３０５の縦の方向に沿ったものである（以下をみること）。図３Ａに示されたように、光学的な素子３００は、ＬＥＤ３０２に光学的に結合させられた、光の角度を選択するトランスフレクター３０１、又は多層の角度的なフィルター、を具備することがある。光学的な素子３００は、図２Ｃを参照して記載された下部の反射体２０３及び上部の反射体２０４に類似の、下部の反射体３０３及び／又は上部の反射体３０４を具備することがある。
【００７９】
さらに図３Ａを参照して、光学的な素子３００は、光を案内することに適合させられた細長い素子によって構成された二つのライトガイド３０５，３０６を具備することがある。二つのライトガイド３０５，３０６の各々は、それぞれ、ライトガイド３０５，３０６における重なり合いの表面部分３０５ａ，３０６ａで他方のものに光学的に結合させられたものであることがある。図３Ａに描かれたように、重なり合いの表面部分３０５ａ，３０６ａは、積み重ねられた構成において配置されたものであることがあるが、一方のものは他方のものの上部におけるもの及びそれぞれの重なり合いの表面部分３０５ａ，３０６ａでそれに結合させられたものである。図３Ａにおける例の方式によって示されたように、ライトガイド３０５，３０６は、相互のものに対して直交するものである方向において縦に延びることがある。
【００８０】
図３Ａにおける例の方式によって示されたように、ＬＥＤ３０２は、屈折率を調和させるシリコーンの接着剤のような、屈折率を調和させる接着剤の層３０７の手段によって光の角度の選択的なトランスフレクター３０１に光学的に結合させられたものであることがある。
【００８１】
図３Ａに描かれた実施形態に従って、ライトガイド３０５は、ライトガイド３０５の縦の方向に対して実質的に平行に配置された複数の光を案内するファイバー３０５ｂを具備する。図３Ａにおける例の方式によって示されたように、光を案内するファイバー３０５ｂは、実質的に円形の断面を具備することがある。
【００８２】
図３Ａに描かれた実施形態と一致して、ライトガイド３０６は、リボンに整形された光を案内する構造を具備する。
【００８３】
ライトガイド３０５における隣接の光を案内するファイバー３０５ｂの間における領域は、屈折率を調和させるシリコーンの接着剤のような、屈折率を調和させる接着剤を具備することがある。
【００８４】
今図３Ｂを参照することで、示されたものは、本発明の例示する実施形態と一致したライトガイド３０８の概略的な断面の図である。図は、ライトガイド３０８の縦の方向に沿ったものである。図３Ｂに描かれた実施形態と一致して、ライトガイド３０８は、ライトガイド３０８の縦の方向に対して実質的に平行に配置された複数の光を案内するファイバー３０８ｂを具備するが、それにおいて光を案内するファイバー３０８ｂの縦の方向における断面は、異なるサイズを有する。ライトガイド３０８における異なるサイズを有する断面との光を案内するファイバー３０８ｂの混合をすることによって、隣接の光を案内するファイバー３０８ｂの間における空白の又は空のスペースの量は、その空白の又は空のスペースが光を案内することに有用なものはないものであることがあるが、低減されたものであることがある。この様式で、光学的な素子の幾何学的な光学的な損失は、低減されたものであることがある。
【００８５】
断面のサイズが、ライトガイド３０８に具備された光を案内するファイバーについて変動させられたものであることがあるだけではなく、代わりに又は自由選択で断面の形状は、隣接の光を案内するファイバー３０８ｂの間における空白の又は空のスペースの量を低減することの目的のために変動させられたものであることがある（図３Ｂに示されたものではない）。
【００８６】
今図３Ｃを参照することで、示されたものは、ライトガイド３０９の縦の方向に沿った本発明の例示する実施形態と一致したライトガイド３０９の概略的な断面の図である。図３Ｃにおいて、描かれたものは、ライトガイド３０８において具備された光を案内するファイバー３０９ｂの例示する構成である。
【００８７】
図４Ａを参照して、示されたものは、本発明の例示する実施形態に従った光学的な素子４００の概略的な断面の図である。光学的な素子４００は、ライトガイド４０２の入力表面部分４０２ａにリボンに整形された光を案内する構造を具備するライトガイド４０２に光学的に結合させられたＬＥＤ４０１を具備する。描かれた実施形態と一致して、光学的な素子４００は、さらに、リボンに整形された光を案内する構造を具備する別のライトガイド４０３を具備することがある。ライトガイド４０２，４０３は、それぞれ、ライトガイド４０２，４０３における重なり合いの表面部分４０２ｂ、４０３ｂで相互のものに光学的に結合させられたものであることがあるが、重なり合いの表面部分４０２ｂ，４０３ｂが積み重ねられた構成に配置されたものである。
【００８８】
図４Ａにおける図は、ライトガイド４０２の縦の方向に沿ったものである。図４Ａに指し示されたように、ライトガイド４０２，４０３は、ライトガイド４０２，４０３が、一致するものではない方向において、例えば、相互のものに対して直交するものである方向において、縦に延びるものであるように、配置されたものであることがある。
【００８９】
さらに図４Ａを参照して、光学的な素子４００は、ライトガイド４０３に配置された再帰反射体４０４を具備することがある。再帰反射体４０４の上部に、鏡面の反射体４０５は、配置されたものであることがある。再帰反射体４０４は、複数の微小な錐体４０４ａ（それらのいくつかのみが、図４Ａにおける参照数字によって指し示されたものである）を具備する微小な錐体のアレイを具備することがある。
【００９０】
代わりに又は自由選択で、そのような再帰反射体４０４は、相対的に高い屈折率を有する複数の微小な半球体４０４ａを具備する微小な半球体のアレイを具備することがある（図４Ｂをみること）。
【００９１】
図５Ａを参照することで、示されたものは、本発明の例示する実施形態に従った光を放出するデバイス５００の概略的なブロック図である。光を放出するデバイス５００は、本発明の実施形態に従った光学的な素子５０１を具備する。
【００９２】
図５Ｂを参照して、示されたものは、本発明の実施形態に従った光学的な素子５０１を具備する光を放出するデバイス５００の概略的な図である。光学的な素子は、光学的な素子５０１から光を輸送するための複数の光学的なファイバー５０２（それらのいくつかのみが図５Ｂにおける参照数字によって指し示されたものである）を具備する。この様式では、局所的な光のスポットは、提供されることがある。
【００９３】
図６Ａ及び６Ｂを参照することで、図解されたものは、どのように本発明の実施形態に従った光学的な素子が、いわゆるフォトニックテキスタイルにおいて適用されることができるのかである。例えば、光を案内する光学的なファイバーは、他のファイバーと組み合わせられたものであると共にテキスタイルに織られたものであることがある。各々の光学的な素子のＬＥＤは、例えば（電気）伝導性の糸を具備するテキスタイルのリボンを介して又は（図６Ａ及び６Ｂに示されたものではない）フレキシブルなＰＣＢを介して、従来の様式で動力又は電力供給装置に接続されたものであることがある。
【００９４】
図６Ａを参照して、示されたものは、光を案内するファイバー６０１（それらのいくつかのみが図６Ａにおける参照数字によって指し示されたものである）のアレイ６００（の一部分）の概略的な図であるが、それにおいては複数の光学的な素子６０２は、アレイ６００に組み込まれたものである。代わりの又は自由選択のアレイの構成は、図６Ｂに描かれたものである。
【００９５】
光を案内するファイバー６０１は、例えば、光が、例えば表面粗さの構造若しくは（図６Ａ及び６Ｂに示されたものではない）蛍燐光体／散乱させる塗料のドット又は別のタイプの光の抽出器を備えた光を案内するファイバー６０１を提供することによって、光を案内するファイバー６０１の長さに沿って光を案内するファイバー６０１から外に結合させられたものであることがあるように、配置されたものであることがある。
【００９６】
結論において、光学的な素子は、開示されたものであるが、それにおいて一つの又はより多いＬＥＤ及び追加的な光学部品は、相対的に相互に望まれた位置において相対的に簡単に組み立てられた及び維持されたものであることがある統合された解決手段に提供されたものであることがある。光学的な素子は、一つの又はより多いＬＥＤからの光が、光学的なファイバー、光学的なファイバーアレイ、リボンに整形された光を案内する構造、等のような薄い又は細いライトガイドへと注入されることがあるように、一つの又はより多いＬＥＤ及び追加的な光学部品が知られたデバイスとの比較において相対的に薄い又は細い及小型のものである統合された解決手段に提供されることを可能とすることがある。
【００９７】
発明が、添付された図面及び前述する記載において詳細に図解されてきた及び記載されてきたものである一方で、そのような図解及び記載は、例証のもの又は例示するものと考慮されるものであると共に制限的なものではない；発明は、開示された実施形態に限定されるものではない。開示された実施形態に対する他のバリエーションは、図面、開示、及び添付された請求項の研究から、請求された発明を実施する際に当業者によって理解されると共に果たされることができる。ある一定の措置が相互に異なる従属の請求項に陳述されたという単なる事実は、これらの措置の組み合わせが有利に使用されることができないことを指し示すものではない。請求項におけるいずれの参照符号も範囲を限定するものとして解されるべきものではない。
【００９８】
クレーム：
１．  光学的な素子（１００；２００；３００）であって、
少なくとも一つのライトガイド（１０２；２０５，２０６，２０７；３０５，３０６；３０８；３０９）；
少なくとも一つの光を放出するダイオード、ＬＥＤ（１０１；２０２；３０２）；及び
光学的なカプラー（１０３）
：を具備する、光学的な素子において：
前記光学的なカプラーは、前記少なくとも一つのライトガイドの少なくとも一つの入力表面部分（１０２ａ；２０６ｂ）に上記の少なくとも一つのＬＥＤを光学的に結合させることに適合させられたものであると共に；
前記光学的なカプラーは、前記少なくとも一つのＬＥＤの法線方向の表面に対する予め決められた角度の区間内で前記少なくとも一つの光の角度を選択するトランスフレクターに入射する光を少なくとも部分的に反射させると共に上記の予め決められた角度の区間の外側で前記少なくとも一つの光の角度を選択するトランスフレクターに入射する光を少なくとも部分的に透過させることに適合させられた少なくとも一つの光の角度を選択するトランスフレクター（１０４；２０１；３０１）を具備する、
光学的な素子。
２．  クレーム１に従った光学的な素子であって、
少なくとも二つのライトガイド（２０５，２０６，２０７；３０５，３０６）を具備する、光学的な素子において、
前記少なくとも二つのライトガイドの各々は、重なり合いの表面部分（２０５ａ，２０６ａ；３０５ａ，３０６ａ）における他のものの少なくとも一つのものに光学的に結合させられたものであると共に、
前記重なり合いの表面部分は、積み重ねられた構成に配置されたものであると共に、
前記少なくとも二つのライトガイドは、一致するものではない方向において縦に延びるものである、
光学的な素子。
３．  クレーム１に従った光学的な素子において、
前記少なくとも一つのライトガイドは、
リボンに整形された光を案内する構造；
上記の少なくとも一つのライトガイドの縦の方向に対して実質的に平行に配置された複数の光を案内するファイバー（２０７ａ；３０５ｂ；３０８ｂ；３０９ｂ）；及び、
上記の少なくとも一つのライトガイドの縦の方向に対して実質的に平行に配置された少なくとも一つの光を案内するファイバー
：の一つのもの又はより多いものを具備すると共に、
前記少なくとも一つの光を案内するファイバーの少なくとも一部分は、縦の方向における実質的に矩形の断面を具備する、
光学的な素子。
４．  クレーム１に従った光学的な素子において、
前記少なくとも一つのライトガイドは、上記の少なくとも一つのライトガイドの縦の方向に対して実質的に平行に配置された複数の光を案内するファイバー（３０８ｂ；３０９ｂ）を具備すると共に、
前記光を案内するファイバーの少なくとも一つのものの縦の方向における断面は、他の光を案内するファイバーの縦の方向における断面に比較された異なるサイズ及び／又は形状を有する、
光学的な素子。
５．  クレーム２に従った光学的な素子において、
上記の少なくとも二つのライトガイドは、相互のものに対して直交するものである方向に縦に延びるものである、光学的な素子。  
６．  クレーム２に従った光学的な素子であって、
前記重なり合いの表面部分の積み重なる方向に対して前記少なくとも一つの入力表面部分を具備するライトガイドの重なり合いの表面部分から最も遠く離れて位置させられたものである重なり合いの表面部分を具備するライトガイドに結合させられた第一の鏡面の反射体（２０４；３０４）をさらに具備する、光学的な素子。
７．  クレーム６に従った光学的な素子において、
前記第一の鏡面の反射体は、前記第一の反射体が結合させられたものであるライトガイドの重なり合いの表面部分に面する表面部分に結合させられたものである、光学的な素子。
８．  クレーム１に従った光学的な素子であって、
前記ライトガイドの少なくとも一つのものの少なくとも一つの横方向の側の表面に結合させられた少なくとも一つの横方向の鏡面の反射体（２０３ａ，２０３ｂ，２０４ａ，２０４ｂ）をさらに具備する、光学的な素子。
９．  クレーム１に従った光学的な素子において、
前記予め決められた角度の区間は、前記少なくとも一つのライトガイドへと結合させられた光が、上記の入力表面部分を具備するライトガイドの出力表面部分（１０２）における内部全反射の条件を満足するようなものである、光学的な素子。
１０．  光学的な素子（４００）であって、
少なくとも二つのライトガイド（４０２，４０３）；
白色の光を放出するために構成された、少なくとも一つの光を放出するダイオード，ＬＥＤ（４０１）、前記少なくとも一つのＬＥＤが前記少なくとも一つのライトガイドの一つのものの少なくとも一つの入力表面部分（４０２ａ）に光学的に結合させられたものであること；及び、
少なくとも一つの鏡面の反射体（４０５）；
：を具備する、光学的な素子において：
前記少なくとも二つのライトガイドの各々のものは、別のライトガイドにそれぞれのライトガイドを光学的に結合させることに適合させられた重なり合いの表面部分（４０２ｂ，４０３ｂ）を具備すると共に、前記重なり合いの表面部分が積み重ねられた構成に配置されたものであると共に；
前記少なくとも一つの反射体は、前記少なくとも一つの重なり合いの表面部分の積み重なる方向に対して、前記少なくとも一つの入力表面部分を具備するライトガイドの重なり合いの表面部分から最も遠く離れて位置させられたものである重なり合いの表面部分を具備するライトガイドに結合させられたものである、
光学的な素子。
１１．  クレーム１０に従った光学的な素子において、
前記少なくとも二つのライトガイドは、一致するものではない方向において縦に延びるものである、光学的な素子。
１２．  クレーム１０に従った光学的な素子において、
前記少なくとも一つの反射体は、前記少なくとも一つの反射体が結合させられたものであるライトガイドの重なり合いの表面部分に面する表面部分に結合させられたものである、光学的な素子。
１３．  クレーム１２に従った光学的な素子であって、
前記少なくとも一つの反射体及び上記のライトガイドの間に配置された少なくとも一つの再帰反射体（４０４）をさらに具備する、光学的な素子。
１４．  クレーム１から１３までのいずれか一つに従った光学的な素子（５０１）を具備する光を放出するデバイス（５００）。
１５．  アレイへと組み込まれたクレーム１から１３までのいずれか一つのものに従った少なくとも一つの光学的な素子（６０２）を具備するファイバー（６０１ａ）のアレイ（６００）。
【先行技術文献】
【特許文献】
【００９９】
【特許文献１】国際公開第２００９／０２２２８４Ａ１号
【図１ａ】
0005620994.tif 000002
【図１ｂ】
0005620994.tif 000003
【図１ｃ】
0005620994.tif 000004
【図２ａ】
0005620994.tif 000005
【図２ｂ】
0005620994.tif 000006
【図２ｃ】
0005620994.tif 000007
【図２ｄ】
0005620994.tif 000008
【図２ｅ】
0005620994.tif 000009
【図２ｆ】
0005620994.tif 000010
【図３ａ】
0005620994.tif 000011
【図３ｂ】
0005620994.tif 000012
【図３ｃ】
0005620994.tif 000013
【図４ａ】
0005620994.tif 000014
【図４ｂ】
0005620994.tif 000015
【図５ａ】
0005620994.tif 000016
【図５ｂ】
0005620994.tif 000017
【図６ａ】
0005620994.tif 000018
【図６ｂ】
0005620994.tif 000019